(57)【要約】方法及びかかる方法を使用した光記録装置が記載され、装置における放射線ビームの最適なライトパワーは、一連のテストパターンを光記録媒体に書き込むことにより設定され、該パターンからリード信号を形成し、該リード信号が処理される。かかる処理は、微分ステップを実行することなしに、好ましくは直線である関数をリード信号から得られたパラメータにフィットすることを含んでいる。該方法及び装置により使用するための光記録媒体もまた記載される。
2004514233.tif 000002
【特許請求の範囲】
【請求項１】
放射線ビームにより光記録媒体に情報を書き込むための光記録装置における使用向けに、ライトパラメータの最適値を設定するための方法であって、
それぞれのパターンが前記放射線ビームの異なる値のライトパワーレベルＰで書き込まれる一連のテストパターンを前記記録媒体に書き込む第１ステップと、
対応するリード信号の一部を形成するために、前記パターンを読み出す第２ステップと、
それぞれのリード信号の一部からリードパラメータの値を導出する第３ステップとを備え、
前記リードパラメータと前記ライトパワーレベルの間の関係を定義する関数を、前記リードパラメータの値及び前記ライトパワーレベルの値にカーブフィットする第４ステップと、
前記カーブフィットされた関数の特性に依存して、前記ライトパラメータの最適値を設定する第５ステップとをさらに備える、
ことを特徴とする方法。
【請求項２】
前記第４ステップにおいて、実質的な直線により表される関数は、前記リードパラメータの値及び前記ライトパワーレベルＰの値にカーブフィットされる、
ことを特徴とする請求項１記載の方法。
【請求項３】
前記リードパラメータは、前記記録媒体に記録されている情報から導出されるリード信号の振幅の変調Ｍである、
請求項１又は２記載の方法。
【請求項４】
前記カーブフィットされた関数は、Ｐ・Ｍ＝α・（Ｐ−β）の形式からなり、前記α及びβは、前記カーブフィットにより生じる値を有し、
前記ライトパラメータの前記最適値は、βの値に実質的に等しく設定される、
ことを特徴とする請求項３記載の方法。
【請求項５】
前記第４ステップにおける前記直線の前記カーブフィットは、前記ライトパワーレベルの所定のフィットレンジにおいて実行される、
ことを特徴とする請求項２又は４記載の方法。
【請求項６】
前記ライトパワーレベルの前記所定のフィットレンジは、Ｐｉｎｄ倍されたω１とＰｉｎｄ倍されたω２の間にあり、前記Ｐｉｎｄは、記録プロセスを示す制御情報を含む前記記録媒体の領域から読み出される値であり、前記ω１及びω２は所定の値である、
ことを特徴とする請求項５記載の方法。
【請求項７】
仮の直線をカーブフィットするステップをさらに備え、
前記ライトパワーレベルの所定のフィットレンジは、Ｐｆｉｔ倍されたω１とＰｆｉｔ倍されたω２の間にあり、前記Ｐｆｉｔは、前記カーブフィットされた仮の直線から導出される値であり、前記ω１及びω２は所定の値である、
ことを特徴とする請求項５記載の方法。
【請求項８】
前記ω１は、０．８５に実質的に等しい値を有し、前記ω２は、１．１５に実質的に等しい値を有する、
ことを特徴とする請求項６又は７記載の方法。
【請求項９】
前記ライトパワーレベルの少なくとも１つの第２の所定のフィットレンジにおける少なくとも１つの第２の直線をカーブフィットさせるステップをさらに備え、
前記第５ステップにおいて、前記ライトパラメータの前記最適値は、前記カーブフィットされた直線のそれぞれの特性に依存して設定される、
ことを特徴とする請求項５記載の方法。
【請求項１０】
放射線ビームのライトパワーレベルの最適値を設定するための方法であって、
前記方法は、ライトパラメータの最適値を設定するための請求項４乃至９のいずれかに記載された方法を使用して、前記ライトパワーレベルを有する前記放射線ビームにより光記録媒体に情報を書き込むための光記録装置において使用することが意図されており、
前記ライトパワーレベルの前記最適値は、前記ライトパラメータの最適値に乗算定数を乗じたものに等しく設定される、
ことを特徴とする方法。
【請求項１１】
前記乗算定数は、記録プロセスを示す制御情報を含む前記記録媒体の領域から読み出され、前記記録媒体に情報を記録することができる、
ことを特徴とする請求項１０記載の方法。
【請求項１２】
光記録媒体に情報を記録するための光記録装置であって、
前記記録媒体に情報を記録するためのライトパワーレベルＰの制御可能な値を有し、放射線ビームを放出するための放射源と、
それぞれのパターンが異なる値の前記ライトパワーレベルで記録される一連のテストパターンを記録するための制御ユニットと、
前記パターンを読み出して、対応するリード信号の一部を形成するためのリードユニットと、
前記リード信号の一部のそれぞれから読み出しパラメータの値を導出するための第１手段とを備え、
前記リードパラメータと前記ライトパワーレベルの間の関係を定義する関数を、前記リードパラメータの値及び前記ライトパワーレベルの値にカーブフィットするための第２手段と、
前記カーブフィットされた関数の特性に依存して、ライトパラメータの最適値を設定するための第３手段とをさらに備える、
ことを特徴とする光記録装置。
【請求項１３】
前記第２手段は、実質的に直線により表される関数を、前記リードパラメータの値及び前記ライトパワーレベルの値にカーブフィットするために配置される、
ことを特徴とする請求項１２記載の装置。
【請求項１４】
前記第１手段により導出された前記リードパラメータは、前記記録媒体に記録されている情報から導出されるリード信号の振幅の変調Ｍであり、
実質的な直線により表される前記カーブフィットされた関数は、Ｐ・Ｍ＝α・（Ｐ−β）の形式からなり、前記α及びβは、前記カーブフィットにより生じる値を有する、
ことを特徴とする請求項１３記載の装置。
【請求項１５】
前記第３の手段は、βの値に実質的に等しくなるように、前記ライトパラメータの前記最適値を設定するために配置される、
ことを特徴とする請求項１４記載の装置。
【請求項１６】
関数をカーブフィットするための前記第２の手段は、前記ライトパワーレベルの所定のフィットレンジを設定するために配置される、
ことを特徴とする請求項１３又は１４記載の装置。
【請求項１７】
前記リードユニットは、記録プロセスを示す制御情報を含む前記記録媒体の領域からの前記フィットレンジを示す値Ｐｉｎｄを読み出すことに作用し、
前記第２手段は、Ｐｉｎｄ倍されたω１とＰｉｎｄ倍されたω２の間のパワーレベルの所定のフィットレンジを設定するために配置され、前記ω１及びω２は所定の値である、
ことを特徴とする請求項１６記載の装置。
【請求項１８】
仮の直線を前記リードパラメータの値及び前記ライトパワーレベルの値にカーブフィットするための第４手段と、前記カーブフィットされた仮の直線の特性に依存して、値Ｐｉｎｄを設定するための第５手段とを備え、
前記第２手段は、Ｐｆｉｔ倍されたω１とＰｆｉｔ倍されたω２の間のパワーレベルの所定のフィットレンジを設定するために配置され、前記ω１及びω２は所定の値である、
ことを特徴とする請求項１８記載の装置。
【請求項１９】
前記ライトパワーレベルの第２の所定のフィットレンジにおいて第２の直線をカーブフィットするための第４手段を備え、
前記第３手段は、前記カーブフィットされた直線のそれぞれの特性に依存して、前記ライトパラメータの前記最適値を設定するために配置される、
ことを特徴とする請求項１６記載の装置。
【請求項２０】
前記ライトパラメータの前記最適値に依存して、前記ライトパワーレベルの最適値を設定するための設定手段を備える、
ことを特徴とする請求項１４乃至１９のいずれか記載の装置。
【請求項２１】
前記リードユニットは、記録プロセスを示す制御情報を含む記録媒体の領域から乗算定数κの値を読み出すことに作用し、これにより、前記記録媒体に情報を記録することができ、
前記設定手段は、前記乗算定数で書き込みパラメータの前記最適値を乗算することにより、前記ライトパワーレベルの最適値を設定するために配置される、
請求項２０記載の装置。
【請求項２２】
放射線ビームにより記録媒体を照射することにより情報を記録するための光記録媒体であって、前記光記録媒体は、記録プロセスを示す制御情報を含む領域を含み、これにより、前記記録媒体に情報を記録することができ、前記制御情報は、前記記録プロセスのための記録パラメータの値を含み、
前記制御情報は、請求項５記載の方法又は請求項９記載の装置における使用のため乗算定数の値を含む、
ことを特徴とする光記録媒体。
【請求項２３】
放射線ビームにより記録媒体を照射することにより情報を記録するための光記録媒体であって、前記光記録媒体は、記録プロセスを示す制御情報を含む領域を含み、これにより、前記記録媒体に情報を記録することができ、前記制御情報は、前記記録プロセスのための記録パラメータの値を含み、
前記制御情報は、請求項６記載の方法又は請求項１７記載の装置における使用のためのフィットレンジを示す値を含む、
ことを特徴とする光記録媒体。
【発明の詳細な説明】
【０００１】
［発明の分野］
本発明は、放射線ビームにより光記録媒体に情報を書き込むための光記録装置における使用向けに、ライトパラメータの最適値を設定するための方法に関する。
本方法は、それぞれのパターンが放射線ビームの異なる値のライトパワーレベルＰで書込まれる一連のテストパターンを記録媒体に書き込む第１ステップと、対応するリード信号の一部を形成するために該パターンを読み出す第２ステップと、それぞれのリード信号の一部からリードパラメータの値を導出する第３ステップとを備えている。
また、本発明は、放射線ビームのライトパワーレベルの最適値を設定するための方法に関する。
【０００２】
また、本発明は、光記録媒体に情報を記録するための光記録装置に関する。本装置は、記録媒体に情報を記録するためのライトパワーの制御可能な値を有し、放射線ビームを放出するための放射源と、それぞれのパターンが異なる値のライトパワーレベルで書き込まれる一連のテストパターンを記録するための制御ユニットと、該パターンを読み出して対応するリード信号の一部を形成するためのリードユニットと、それぞれのリード信号の一部からのリードパラメータの値を導出するための第１手段とを備えている。
【０００３】
また、本発明は、放射線ビームにより記録媒体を照射することにより情報を記録するための光記録媒体に関する。本記録媒体は、記録プロセスを示す制御情報を含む領域を含み、該記録媒体に情報を記録することができる。この制御情報は、記録プロセスのための記録パラメータに関する値を含んでいる。
【０００４】
［発明の背景］
開始節に従う方法及び装置は、欧州特許出願０７３７９６２号に提案されている。この装置は、放射線ビームの最適なライトパワーＰｏｐｔを設定するための以下のステップを含む方法を使用している。はじめに、この装置は、記録媒体に一連のテストパターンを記録する。それぞれのパターンは、ライトパワーＰが増加する。つぎに、この装置は、該パターンに対応するリード信号から、それぞれのパターンの変調Ｍを導出する。この装置は、ライトパワーＰの関数として変調Ｍの微分係数を導出し、該微分係数を変調ＭにわたってのライトパワーＰで乗算することにより、該微分係数を正規化する。
【０００５】
この正規化された微分係数γのプリセット値γｔａｒｇｅｔとの交差点は、目標となるライトパワーレベルＰｔａｒｇｅｔを決定する。最後に、目標となるライトパワーレベルＰｔａｒｇｅｔは、記録媒体への記録に適した書き込みパワーレベルＰｏｐｔを取得するために、パラメータρで乗算される。パラメータの値ρは、記録媒体それ自身から読み出される。テストパラメータは、所与の値Ｐｉｎｄの周囲のレンジにおけるライトパワー値Ｐを適用することにより、記録媒体に記録される。
【０００６】
光記録装置では、レーザビームの正しいパワーで光記録媒体に情報を記録することが重要である。メディア製造者は、環境、それぞれの記録メディアについて装置と装置との偏差及び記録装置の組合せのために、この正しいパワーを絶対的なやり方で与えることができない（たとえば、ディスクへのプリレコード）。
【０００７】
最適なライトパワーＰｏｐｔを設定するための公知の方法は、記録メディアに書き込まれたテストパターンの変調Ｍを測定することにより、異なる特性の記録メディアを考慮している。さらに、この方法は、特定の記録装置に依存しない。この方法は、記録装置と記録媒体のそれぞれの組合せについて、ライトパワーの適切な設定を提供するために設計されている。
【０００８】
しかし、目標となるライトパワーレベルＰｔａｒｇｅｔについて、したがって、ライトパワーレベルＰの最適値Ｐｏｐｔについて、正確かつ明らかな値を決定することは常に可能ではない。これは、それぞれのパターンの変調Ｍについての値の測定の間に導入される測定雑音のためである。この測定雑音は、テストパターンのライトパワーＰの減少につれて増加する。測定された変調値が測定雑音を減少するために平均化されたときであっても、ある種の停滞期がγ曲線において生じることがあり、目標となるライトパワーレベルＰｔａｒｇｅｔについて明確な値を決定する妨げとなる。
【０００９】
［発明の概要］
本発明の目的は、ライトパラメータについて明確な最適値を決定し、これによりライトパワーレベルＰの最適値Ｐｏｐｔを導出することができる、開始節に従う方法を提供することにある。
上記目的は、開始節において示される方法が、リードパラメータとライトパワーレベルＰの間の関係を定義する関数を、リードパラメータの値及びライトパワーレベルＰの値にカーブフィットする第４ステップ、及び該カーブフィッティングされた関数の特性に依存して、ライトパラメータの最適値を設定する第５ステップをさらに備えるという点で特徴付けられるときに達成される。
【００１０】
公知の方法では、ライトパラメータの測定における雑音は、正規化された微分係数γを取得するために必要である微分ステップにより大幅に増幅される。本発明による方法では、この微分ステップは省略され、関数は、リードパラメータの値対ライトパワーレベルの値に直接的にカーブフィットされる。このカーブフィットは、たとえば、公知の最小二乗アルゴリズムのようなフィッティングアルゴリズムにより行われる場合がある。ライトパラメータの最適値は、このカーブフィットされた関数から取得される。
【００１１】
一般的に言って、リードパラメータとライトパワーレベルＰの間の関係を定義する任意形状のいずれかの関数を使用することができる。なお、直線であれば、非常に容易かつ正確にカーブフィットすることができる。したがって、直線をカーブフィットすることができるようなやり方で、リードパラメータの値とライトパワーレベルＰの値とを調節することが有効であり、好ましい。
【００１２】
本発明による方法のバージョンでは、リードパラメータは、記録媒体に記録されている情報から導出されるリード信号の振幅の変調Ｍである。この変調Ｍは、以下の式から計算される。
Ｍ＝（（ＩＨ−ＩＬ）／ＩＨ）・１００
ここで、ＩＨは、情報キャリアに記録される情報を読み出すことから導出される読み出し信号における振幅の最高レベル、ＩＬは振幅の最低レベルである。この情報キャリアは、たとえば、８／１４変調プラス（ＥＦＭ＋）符号化が使用されるとき、チャネルビット長の１４倍の長さを有するマークのようなロングマークを含んでいる。
【００１３】
本発明による方法の好適なバージョンは、カーブフィティング関数がＰ・Ｍ＝α・（Ｐ−β）の形式からなり、α及びβは、カーブフィットにより生じる値を有しており、また、ライトパラメータの最適値は、βの値に実質的に等しく設定されることを特徴としている。
【００１４】
変調の値Ｍで乗算されたライトパワーレベルＰが、ライトパワーレベルＰに対してプロットされるとき、実質的に直線により表される関数をカーブフィットすることができる。物理的に、この直線は、一連のテストパターンを書き込むときに使用される最低のライトパワー及び最高のライトパワーにより制限される。本発明による方法のこのバージョンに関して、公知のフィッティングアルゴリズムにより、直線を非常に容易かつ正確にカーブフィットすることができる点で有効である。
【００１５】
カーブフィットされた直線は、その特性α及びβにより記載される。ライトパラメータの最適値は、βの値に実質的に等しく設定される。すなわち、外挿された直線がＰ軸に交差するパワーレベルＰについての値である。本発明による方法のこのバージョンに関して、それぞれの直線がそれぞれの軸とちょうど１つの交差を有する点について有効である。したがって、ライトパラメータの最適値は、カーブフィットされた直線とＰ軸とのたった１つの交差点が存在するので、明確に決定することができる。
【００１６】
本発明による方法のバージョンは、第４ステップにおける直線のカーブフィッティングは、ライトパワーレベルの所定のフィットレンジにおいて実行されることを特徴とする。カーブフィットされた直線は、リードパラメータとライトパワーレベルの間の関係の１次近似であり、カーブフィッティングは、ライトパワーレベルの適切なフィットレンジにおいて実行される。
【００１７】
かかる適切なフィットレンジは、たとえば、ω１・Ｐｉｎｄとω２・Ｐｉｎｄの間のレンジである記録プロセスを示す制御情報として、記録媒体に記録される目安となるパワーレベルＰｉｎｄの周辺のライトパワーレベルのレンジである。ここで、ω１とω２は所定の値である。特に好適なフィットレンジは、０．８５・Ｐｉｎｄと１．１５・Ｐｉｎｄの間のライトパワーレベルのレンジである。
【００１８】
本発明による好適な方法は、本方法が仮の直線をカーブフィットするステップをさらに備え、ライトパワーレンジの所定のフィットレンジがＰｆｉｔ・ω１とＰｆｉｔ・ω２の間にあることを特徴としている。ここで、Ｐｆｉｔは、カーブフィットされた仮の直線から導出された値である。ここで、ω１及びω２は、任意の値である。特に好適なフィットレンジは、０．８５・Ｐｆｉｔと１．１５・Ｐｆｉｔの間にあるライトパワーレベルのレンジであることがわかる。
【００１９】
なお、仮のカーブフィットされた直線自身は、第２のカーブフィットされた仮の直線から導出される第２のＰｆｉｔの値の周囲のパワーレベルのフィットレンジにおいて、カーブフィットされた仮の直線自身をカーブフィットすることにより得ることができる。このようにして、繰返し手順を行い、パワーレベルの最適なフィットレンジを得ることができる。
【００２０】
かかる繰返し手順は、たとえば、記録プロセスを示す制御情報として、記録媒体に記録されている目安となるパワーレベルＰｉｎｄに等しいＰｆｉｔの値により、開始することができる。この繰返し手順は、たとえば、所定回数の繰返しステップの後に停止することができ、又は、代替的に、２つの連続する繰返しステップの間の所定の値以下にＰｆｉｔが変化するときに停止することができる。
【００２１】
また、繰返し手順が使用されるとき、Ｐｆｉｔは、前の繰返しステップのみでカーブフィットされた仮の直線から導出することができる。代替的に、Ｐｆｉｔは、更に先の繰返しステップにおいてカーブフィットされた少なくとも１つの仮の直線と組み合わせて、前の繰返しステップからカーブフィットされた仮の直線から導出することができる。
【００２２】
本発明による更なる方法は、ライトパワーレベルの少なくとも１つの第２の所定のフィットレンジにおいて少なくとも１つの第２の直線をカーブフィットするステップをさらに備えることを特徴とし、また、第５ステップにおいて、ライトパラメータの最適値は、カーブフィットされた直線のそれぞれの特性に依存して設定されることを特徴とする。ライトパラメータの最適値は、たとえば、それぞれの個々のカーブフィットされた直線から生じる最適値の平均値に設定される場合がある。
【００２３】
代替的に、重み付け平均値を使用するか、又はそれぞれの個々のカーブフィットされた直線から生じた最適値の間の補間手順から生じる値を使用することもできる。かかる補間の手順は、線形補間又は非線形補間のいずれかである場合がある。２つの直線が使用される場合、ライトパワーレベルの第１のフィットレンジは、たとえば、目安となるパワーレベルＰｉｎｄから固定された値を引いたものの周辺のレンジに設定することができ、第２のフィットレンジは、目安となるパワーレベルＰｉｎｄに固定された値を加えたものの周辺のレンジに設定される。この固定された値は、たとえば、０．２５ｍＷから１．０ｍＷのレンジから選択される。
【００２４】
また、本発明の目的は、放射線ビームのライトパワーレベルＰの正確な最適値Ｐｏｐｔを決定することができる開始節に従う方法を提供することにある。ライトパワーレベルＰの最適値Ｐｏｐｔは、記録媒体に記録されている情報からのリード信号の最低のジッタが得られるライトパワーＰとして定義される。
上記目的は、開始節で示される方法、ライトパワーレベルを有する放射線ビームが、カーブフィットされた関数がＰ・Ｍ＝α・（Ｐ−β）の形式からなる点で特徴付けられる。ここで、α及びβは、カーブフィットにより生じる値を有し、ライトパラメータの最適値は、βの値に実質的に等しく設定される。放射線ビームのライトパワーレベルＰの最適値Ｐｏｐｔは、ライトパラメータの最適値に乗算定数κを乗じたものに等しくなるように設定される。
【００２５】
ライトパラメータの最適値が決定された後で、すなわち、βの値に実質的に等しく設定された後で、放射線ビームのライトパワーレベルＰの最適値Ｐｏｐｔは、ライトパラメータの最適値を乗算定数κで乗算することにより得ることができる。したがって、ライトパワーレベルＰの最適値Ｐｏｐｔは、Ｐｏｐｔ＝κ・βの形式から見ることができる。
【００２６】
乗算定数の値κは、情報が記録される記録媒体の特性に依存する。なお、乗算定数κのための値は、パラメータρの値、及びκ＝ρ・（１＋１／γｔａｒｇｅｔ）の式による公知の方法のプリセット値γｔａｒｇｅｔの値から導出することができる。
本発明による方法のバージョンは、乗算定数κが記録プロセスを示す制御情報を含む記録媒体の領域から読出され、これにより、該記録媒体に情報を記録することができる。
【００２７】
乗算定数κの値は、記録媒体の特性に単に依存するので、製造者及び製造の間に記録媒体へのプリレコードにより決定することができる。代替的に、乗算定数κの値は、ユーザにより決定することができ、後の使用のために記録媒体に記録することができる。本方法によれば、乗算定数κの値は、ライトパワーレベルの最適値Ｐｏｐｔが該記録媒体に情報を記録するために設定されなければならないときに、記録媒体から読出される。
【００２８】
本発明の更なる目的は、ライトパラメータについての正確な最適値を決定することができ、これにより、ライトパワーレベルＰの最適値Ｐｏｐｔを導出することができる開始節に従う装置を提供することにある。
上記目的は、開始節に示される装置が、リードパラメータとライトパワーレベルＰの間の関係を定義する関数を、リードパラメータの値及びライトパワーレベルＰの値にカーブフィットするための第２手段と、該カーブフィットされた関数の特性に依存してライトパラメータの最適値を設定するための第３手段をさらに備える。
【００２９】
本発明による装置の実施の形態は、第２手段が、実質的な直線により表される関数を、リードパラメータの値及びライトパワーレベルＰの値にカーブフィットするために配置されることを特徴としている。
【００３０】
本発明による装置の実施の形態は、リードパラメータが記録媒体に記録されている情報から導出されるリード信号の振幅の変調Ｍであり、該カーブフィットされる関数は、Ｐ・Ｍ＝α・（Ｐ−β）の形式からなることを特徴としている。ここで、α及びβは、カーブフィットにより生じた値を有している。本発明による装置の好適な実施の形態では、ライトパラメータの最適値は、βの値に実質的に等しく連続して設定される。
【００３１】
本発明による装置の実施の形態は、関数をカーブフィットするための第２手段１０１がパワーレベルの所定のフィットレンジを設定するために配置されることを特徴とする。所定のフィットレンジは、たとえば、ω１・Ｐｉｎｄとω２・Ｐｉｎｄの間のレンジであり、記録プロセスを示す制御情報を含む記録媒体の領域から読み出されたフィットレンジを示す値Ｐｉｎｄに依存して設定される場合がある。ここで、ω１及びω２は所定の値である。特に好適なフィットレンジは、０．８５・Ｐｉｎｄと１．１５・Ｐｉｎｄの間のライトパワーレベルのレンジであることがわかる。
【００３２】
本発明による装置の実施の形態は、仮の直線をリードパラメータの値及びライトパワーレベルＰの値にカーブフィットするための第４手段と、カーブフィットされた仮の直線の特性に依存して、Ｐｆｉｔの値を設定するための第５手段とを備えており、第２手段１０１は、Ｐｆｉｔ倍のω１とＰｆｉｔ倍のω２の間のパワーレベルの所定のフィットレンジを設定するために配置されることを特徴とする。ここで、ω１及びω２は所定の値である。
【００３３】
なお、カーブフィットされた仮の直線自身は、第２の仮のカーブフィットされた直線から導出された第２のＰｆｉｔの値の周囲のパワーレベルのフィットレンジにおいて、カーブフィットされた仮の直線自身をカーブフィットすることから得ることができる。このようにして、繰返し手順を行い、パワーレベルの最適なフィットレンジを得ることができる。また、直線をカーブフィットするための第２手段と、仮の直線をカーブフィットするための第４手段は、個別の装置であるか、又は、代替的に、１つの装置に結合される場合がある。
【００３４】
本発明による装置の実施の形態は、パワーレベルの第２の所定のフィットレンジにおける第２の直線をカーブフィットするための第４手段を備えており、第３手段１０２は、それぞれのカーブフィットされた直線の特性に依存してライトパラメータの最適値を設定するために配置される。また、直線をカーブフィットするための第２手段と、第２の直線をカーブフィットするための第４手段は、個別の装置であるか、又は、代替的に、１つの装置に結合される場合がある。
【００３５】
本発明による装置の実施の形態は、ライトパラメータの最適値に依存して、ライトパワーレベルＰの最適値Ｐｏｐｔを設定するための設定手段を備えることを特徴とする。
本発明による装置の実施の形態では、リードユニットは、記録プロセスを示す制御情報を含む記録媒体の領域から乗算定数κの値を読み出すことに作用し、これにより、該記録媒体に情報を記録することができ、設定手段は、乗算定数κでライトパラメータの最適値を乗算することにより、ライトパワーレベルＰの最適値Ｐｏｐｔを設定するために配置されることを特徴としている。
【００３６】
本発明の更なる目的は、本発明の方法及び光記録装置による使用向けの光記録媒体を提供することにある。
上記目的は、制御情報が乗算定数κの値を含む点で、開始節において示される光記憶媒体が特徴付けられるときに達成される。
【００３７】
ライトパワーレベルＰの最適値Ｐｏｐｔを設定するための方法及び装置により使用される、乗算定数κの値は記録媒体の特性にのみ依存するために、製造者及び製造の間の記録媒体へのプリレコードにより決定することができる。
なお、光記録媒体は、国際特許出願ＷＯ９８／２５２６６から知られている。しかし、この公知の記録媒体に含まれている制御情報は、ライトパラメータについて最適値を設定するための公知の方法及び装置において、変調の正規化された微分係数γの値対ライトパワーＰと比較されるプリセット値γｔａｒｇｅｔを含んでいる。
【００３８】
本発明による光記録媒体は、ライトパラメータの最適値によりこの乗算定数κを乗算することにより、ライトパワーレベルＰの最適値Ｐｏｐｔを取得するために使用される乗算定数κを含んでいる。さらに、ライトパラメータのこの最適値は、変調Ｍの微分係数対ライトパワーＰを使用することなしに導出される。
【００３９】
また、上記目的は、制御情報がフィットレンジＰｉｎｄを示す値を含む点で、開始節の光記録媒体が特徴付けられるときに達成される。このＰｉｎｄは、製造者及び製造の間の記録媒体へのプリレコードにより決定することができる。Ｐｉｎｄの決定について、メディア製造者は、基準となる記録装置及び標準化された条件の下で、記録媒体についてライトパワーレベルＰの最適値ＰＲＥＦを見つけなければならない。ここで、Ｐｉｎｄは、たとえば、以下のいずれかの式からのＰＲＥＦから導出することができる。
Ｐｉｎｄ＝ＰＲＥＦ／ρ　又は　Ｐｉｎｄ＝（ＰＲＥＦ／κ）・（１＋１／γｔａｒｇｅｔ）
［発明の実施の形態］
本発明の目的、機能及び効果は、添付図面において説明される以下に示される本発明の実施の形態の例の更に特定の記載から明らかとなるであろう。
図１は、本発明による光記録装置及び光記録媒体を示している。記録媒体１は、透明基板２、及び該基板に配置されている記録層３を有している。記録層３は、放射線ビーム５により情報を記録するために適した材料を含んでいる。記録材料は、たとえば、光磁気タイプ、層変化タイプ、染料タイプ又はいずれか他の適切な材料からなる場合がある。
【００４０】
情報は、マークとも呼ばれる光学的に検出可能な領域の形態で記録層３に記録される場合がある。装置は、たとえば、放射線ビーム５を放出するための半導体レーザである放射源４を備えている。放射線ビームは、ビームスプリッタ６、対物レンズ７及び基板２を介して記録層３に集束する。記録媒体は、代替的にエアインシデントである場合があり、放射線ビームは、基板を通過することなしに、記録層３に直接照射される。
【００４１】
媒体１から反射された放射線は、対物レンズ７により集束され、ビームスプリッタ６を通して通過した後に、入射放射線を電気検出信号に変換する検出システム８に入力する。検出信号は、回路９に印加される。回路９は、記録媒体１から読み出されている情報を表すリード（ｒｅａｄ）信号ＳＲのような、検出信号から幾つかの信号を導出する。放射源４、ビームスプリッタ６、対物レンズ７、検出システム８及び回路９は、リードユニット９０を互いに形成する。
【００４２】
回路９からのリード信号は、リード信号からリードパラメータを表す信号を導出するために、第１のプロセッサ１０において処理される。導出された信号は、第２のプロセッサ１０１、続いて第３のプロセッサ１０２に供給され、これらのプロセッサは、リードパラメータの一連の値を処理して、該値から、レーザパワーレベルを制御するために必要なライト（ｗｒｉｔｅ）パワー制御信号のための値を導出する。
【００４３】
ライトパワー制御信号は、制御ユニット１２に印加される。情報信号１３は、記録媒体１に記録される情報を表すものであり、制御ユニット１２に供給される。制御ユニット１２の出力は、放射源４に接続される。記録層３のマークは、１つの放射線パルスにより記録することができ、そのパワーは、プロセッサ１０２により決定されるような、最適なライトパワーレベルＰｏｐｔにより決定される。代替的に、マークは、同じ長さ又は異なる長さの一連の放射線パルスにより、及びライトパワー信号により決定される１つ以上のパワーレベルにより記録することもできる。
【００４４】
プロセッサは、たとえば、マイクロプロセッサ、デジタルシグナルプロセッサ、配線されたアナログ回路又はフィールドプログラマブル回路といった、計算を実行するために適したいずれかの手段を意味することが理解される。さらに、第１のプロセッサ１０、第２のプロセッサ１０１及び第３のプロセッサ１０２は、個別の装置である場合があり、又は、代替的に、全ての３つの処理を実行する１つの装置に結合される場合がある。
【００４５】
媒体１に情報を記録する前に、装置は、本発明による方法を実行することにより、そのライトパワーＰを最適値Ｐｏｐｔに設定する。この方法は、図４に示されるフローチャートに概念的に示されている。
【００４６】
第１のステップ４１では、装置は、一連のテストパターンを媒体１に書き込む。テストパターンは、所望のリード信号を与えるように選択されるべきである。リード信号から導出されるリードパラメータが、テストパターンに固有なリード信号の一部の変調Ｍである場合、このテストパターンは、該リード信号の一部の最大変調を達成するために十分なロングマークを含んでいるべきである。
【００４７】
いわゆる、８／１４変調（ＥＦＭ）に従い情報が符号化されるとき、テストパターンは、変調スキームのロングＩ１１マークを含んでいることが好ましい。８／１４プラス変調（ＥＦＭ＋）に従い情報が符号化されるとき、テストパターンは、この変調スキームのロングＩ１４マークを含むべきである。それぞれのテストパターンは、異なるライトパワーレベルＰで記録される。
【００４８】
パワーのレンジは、記録媒体に関する制御情報として記録される、目安になるパワーレベルＰｉｎｄに基づいて選択することができる。後続するテストパターンは、制御ユニット１２による制御下で、ステップ毎に増加されるライトパワーレベルＰにより記録される場合がある。テストパターンは、記録媒体に任意に書き込まれる場合がある。代替的に、このテストパターンは、記録媒体の特別に設けられたテストエリアに書き込むことができる。
【００４９】
第２のステップ４２では、記録されたテストパターンはリード信号ＳＲを形成するように、リードユニット９０により読み出される。図２は、２つの異なるライトパワーレベルで書き込まれた２つのテストパターンから得られたリード信号の一部１８及び１９を示している。図示されるパターンは、リード信号の一部１８及びリード信号の一部１９の両者において、信号の一部１５，１６及び１７によりそれぞれ示されるショートマーク、ロングマーク及びショートマークを含んでいる。実際のパターンは、異なる長さ又は等しい長さからなる数百のマークを含んでいる場合がある。
【００５０】
第３のステップでは、プロセッサ１０は、リード信号ＳＲから、それぞれのリード信号の一部についてリードパラメータを導出する。可能性のあるリードパラメータは、（図２における“ａ”により示されるリード信号の一部１８について）リード信号の一部の振幅の最低レベルの、（“ｂ”により示される）同じリード信号の一部の振幅の最高レベルに対する比である。好適なリードパラメータは、“ｃ”により示されるリード信号の最大ピークトゥピーク値の、該リード信号の最大振幅“ｂ”に対する比である変調Ｍである。
【００５１】
ステップ４４では、プロセッサ１０１は、パターンの変調で乗算されたライトパワーＰと該パターンが書き込まれるライトパワーＰとの一連の値のペアを形成する。このライトパワーは、テストパターンの記録の間に、ライトパワー制御信号の値から得ることができ、又は、代替的に、放射線パワーの測定から得ることができる。
【００５２】
図３は、テストパターンから得られた処理されたリード信号の結果を概念的に示している。それぞれのドット２１は、変調Ｍで乗算されたライトパワーＰと該テストパターンのライトパワーＰとについての値のペアを表している。プロセッサ１０１は、測定された変調の値Ｍで乗算されたライトパワーＰ、すなわちＭ・Ｐを通して直線をフィットする。
【００５３】
フィットされた直線は、図３において破線２２により表されている。このフィッティングは、公知の最小二乗フィッティングアルゴリズムにより行われる場合がある。直線２２は、ライトパワーレベルの所定のフィットレンジ２８において、ドット２１にカーブフィットされる。この例では、フィットレンジは、記録媒体の領域から読み出されたフィットレンジを示す値Ｐｉｎｄの周囲を真ん中にしている。フィットされた直線２２は、補外される場合がある。補外された直線は、破線２４により図３において表されている。
【００５４】
第５のステップでは、プロセッサ１０２は、フィットされた直線を示す解析的な式を決定する。この式は、Ｐ・Ｍ＝α・（Ｐ−β）の形式からなる。ここで、パラメータα及びβは、カーブフィットにより生じた値を有している。カーブフィットにより決定されるライトパラメータβについての値は、ここでプロセッサ１０２により使用され、ライトパワーＰについて最適値Ｐｏｐｔが設定される。これは、ライトパラメータβについてのこの値を乗算定数κで乗算することにより行われる。
【００５５】
したがって、ライトパワーＰについての最適値Ｐｏｐｔは、Ｐｏｐｔ＝κ・βから見つけられる。乗算定数κは、記録媒体１の特性に依存し、記録媒体１の制御領域３２にプリレコードされている場合がある。この場合、乗算定数κは、リードユニット９０により記録媒体１から読み出される。
【００５６】
なお、カーブフィッティングにより決定されたライトパラメータβについての値は、補外された直線２４がＰ軸２６と交差するライトパワーＰの値に対応する。ライトパワーのこの値、したがってライトパラメータβの値は、図３において参照符号２５により示されている。
【００５７】
繰返しのやり方でライトパワーレベルの所定のフィットレンジ２８を設定するための手順の例は、図６に示されるフローチャートにおいて概念的に示されている。ステップ６０では、フィットレンジを示す値Ｐｉｎｄは、記録媒体１の領域から読み出される。ステップ６１１では、最初のフィットレンジが、０．８５Ｐｉｎｄから１．１５Ｐｉｎｄに設定される。次のステップ６２１では、最初のフィットレンジにおいて、第１の仮の直線がドット２１にカーブフィットされる。
【００５８】
この第１の仮の直線から、ステップ６３１において、第１のフィット値Ｐｆｉｔが導出される。ステップ６１２では、繰返し手順の次のシーケンスにおいて、フィットレンジが０．８５Ｐｆｉｔ，１から１．１５Ｐｆｉｔ，１に設定される。ステップ６２２では、再び、仮の直線がドット２１にカーブフィットされ、ステップ６３２では、この第２の仮の直線から、第２のフィット値Ｐｆｉｔ，２が導出される。ここで、ステップ４４において、直線２２は、０．８５Ｐｆｉｔ，２から１．１５Ｐｆｉｔ，２に設定された所定のフィットレンジ２８において、ドット２１にカーブフィットされる。
【００５９】
それぞれのフィット値Ｐｆｉｔ，Ｎは、Ｎ番目の仮のカーブフィットされた直線から導出される。適切な値Ｐｆｉｔ，Ｎは、Ｐｆｉｔ，Ｎ＝（κ・βＮ）／ρから見つけられる。ここで、βＮは、補外されたＮ番目の仮の直線がＰ軸２６と交差するライトパワーＰの値に対応する。
【００６０】
さらに、フィット値Ｐｆｉｔ，Ｎは、Ｎ番目の仮の直線から導出されるのみではなく、繰返し手順の前のステップにおけるフィット値からも導出される場合がある。すなわち、以下のようになる。
Ｐｆｉｔ，Ｎ＝ｆ（（κ・βＮ／ρ），Ｐｉｎｄ，Ｐｆｉｔ，Ｎ−１，Ｐｆｉｔ，Ｎ−２，．．．）
Ｐｆｉｔ，１及びＰｆｉｔ，２についての特に注目される値は、以下であることが見つけられる。
Ｐｆｉｔ，１＝（Ｐｉｎｄ＋（κ・β１）／ρ）／２　及び　Ｐｆｉｔ，２＝（Ｐｆｉｔ，１＋（κ・β２）／ρ）／２
先の例では、繰返し手順は、３つの繰返しステップからなる。なお、他の数の繰返しステップが使用される場合がある。さらに、固定された数の繰返しステップを使用することに加えて、代替的に、繰返し手順は、停止基準に到達されるまで継続する場合がある。かかる停止基準は、たとえば、Ｐｆｉｔが２つの連続した繰返しステップ間の所定の値以下で変化するものである。
【００６１】
図７は、本発明による方法の第２のバージョンのフローチャートを概念的に示している。本方法のステップ４４において１つの直線をカーブフィットする代わりに、２つの直線がカーブフィットされる。ステップ４４１では、第１の直線が第１の所定のフィットレンジにおいてカーブフィットされ、ステップ４４２では、第２の直線が第２の所定のフィットレンジにおいてカーブフィットされる。
【００６２】
第１のフィットレンジは、Ｐｉｎｄ−０．５ｍＷの周辺に中心が置かれ、第２のフィットレンジは、Ｐｉｎｄ＋０．５ｍＷの周辺に中心が置かれる。代替的に、他のレンジが使用される場合がある。第１のカーブフィットされた直線は、式Ｐ・Ｍ＝α１（Ｐ−β１）により示され、第２のカーブフィットされた直線は、式Ｐ・Ｍ＝α１（Ｐ−β２）により示される。
【００６３】
本方法の第５のステップ４５において、ライトパワーの最適値Ｐｏｐｔは、β１及びβ２の両者に依存する。たとえば、Ｐｏｐｔは、β１及びβ２の平均値から導出される場合がある。すなわち、Ｐｏｐｔ＝κ・（β１＋β２）／２である。代替的に、Ｐｏｐｔは、それぞれのフィットレンジを考慮しつつ、β１とβ２の間の線形補間から導出される場合がある。
【００６４】
図５ａは、トラック３０が設けられる記録媒体１の実施の形態を示している。このトラックは、円形又は螺旋形を有しており、型押しされた溝又は隆起の形状である。記録媒体の領域は、ユーザ情報を記録するための情報記録領域３１、ユーザ情報を記録することが意図されておらず、記録媒体の情報の書き込み、読み出し及び消去に関連する情報を記憶するための制御領域３２に分割されている。
【００６５】
制御領域３２は、図５における破線によりマークされている。情報記録領域３１は、特定のライトパワーレベルを超える放射線に曝されるとき、光学的に検出可能な特性に関して変化を受け易いタイプである。記録媒体の情報は、マークのパターンにより表されている。
【００６６】
情報は、記録プロセスにより、情報記録流域３１におけるトラックに３０に記録される。記録プロセスでは、それぞれのマークは、たとえば、記録されるマークの長さに依存して、一定のライトパワー又は変化するライトパワーからなる１つ以上の記録パルスにより形成される。この記録プロセスについての記録パラメータは、記録プロセスを示す制御情報を表すマークのパターン３４の形式で制御領域３２に記憶される。図５ｂは、制御情報が符号化されるマークのパターン３４の例を含むトラック３０の拡大部分３３を示している。
【００６７】
乗算定数の値κ及びフィットレンジを示す値Ｐｉｎｄは、記録媒体１の制御領域３２における制御情報を表すマークのパターンとして記憶される。制御領域３２が型押しされているとき、媒体の製造者は、製造の間にκ及びＰｉｎｄについての値をプリレコードしなければならない。代替的に、ユーザは、たとえば、記録媒体の初期化の間に記録媒体にκについての値を記録することができる。
【００６８】
代替的に、異なるやり方で制御情報が設けられる記録媒体が使用される場合がある。かかる代替的な記録媒体は、たとえば、型押しされた溝（ウォブルとして知られる）の周期的な変調において符号化された記録プロセスを示す制御情報を有する記録媒体である。ここで、乗算定数についての値κとフィットレンジを示す値Ｐｉｎｄは、たとえば、ウォブルを周波数変調するために使用される補助信号において符号化される。かかる記録媒体の記載は、ＥＰ０３９７２３８において見ることができる。
【００６９】
なお、上記記載されたバージョン及び実施の形態は、本発明を限定するよりはむしろ例示するものであり、当業者であれば、特許請求の範囲から逸脱することなしに代替を設計することができる。たとえば、本発明は、リードパラメータとしてリード信号の変調Ｍを使用した実施の形態に基づくことにより、説明されてきた。しかし、代替的な他のリードパラメータ及び他の形状の記録媒体を使用することができることは、当業者であれば明らかであろう。リード信号のジッタは、たとえば、リード信号として代替的に使用することができる。さらに、特許請求の範囲における括弧の間に位置される参照符号は、請求項を限定するものとして解釈すべきものではない。単語「備える」及びその語形変化は、請求項に列挙されたステップ又は構成要素以外のステップ又は構成要素の存在を排除するものではない。
【図面の簡単な説明】
【図１】
本発明による光記録装置の実施の形態に関する図である。
【図２】
２つのテストパターンからの２つのリード信号の一部を説明する図である。
【図３】
ライトパワー及びカーブフィットされた関数として、測定された変調で乗算されるライトパワーを示すグラフである。
【図４】
本発明による方法の第１バージョンに関するフローチャートである。
【図５】
本発明による記録媒体の実施の形態を示す図である。
【図６】
所定のフィットレンジを設定するための手順に関するフローチャートである。
【図７】
本発明による方法の第２バージョンに関するフローチャートである。
【国際公開パンフレット】
2004514233.tif 000003
2004514233.tif 000004
2004514233.tif 000005
2004514233.tif 000006
2004514233.tif 000007
2004514233.tif 000008
2004514233.tif 000009
2004514233.tif 000010
2004514233.tif 000011
2004514233.tif 000012
2004514233.tif 000013
2004514233.tif 000014
2004514233.tif 000015
2004514233.tif 000016
2004514233.tif 000017
2004514233.tif 000018
2004514233.tif 000019
2004514233.tif 000020
2004514233.tif 000021
2004514233.tif 000022
2004514233.tif 000023
2004514233.tif 000024
2004514233.tif 000025
2004514233.tif 000026
2004514233.tif 000027
【国際調査報告】
2004514233.tif 000028
2004514233.tif 000029